【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
水和性セメント質組成物改質用組成物であって、
本明細書でポリマーＩ、ポリマーＩＩおよびポリマーＩＩＩとして識別する異なる３種類のカルボキシレートポリマーを含有して成っていて、前記ポリマーの各々が成分Ａ、ＢおよびＣから得たものであり、かつ
成分Ａが、構造式１
【化１】
2018519236.tif 000001
で表される不飽和カルボン酸モノマーであり、
成分Ｂが、構造式２
【化２】
2018519236.tif 000002
で表されるポリオキシアルキレンモノマーであり、
成分Ｃが、構造式３
【化３】
2018519236.tif 000003
で表される不飽和カルボン酸エステルもしくはアミドモノマーであり、
前記式中、
Ｒ1、Ｒ2、Ｒ3、Ｒ4、Ｒ5、Ｒ6、Ｒ7、Ｒ8、Ｒ9およびＲ10が、各々個別に、水素原子、Ｃ1からＣ4アルキル基または−ＣＯＯＭ基を表しかつＭが水素原子またはアルカリ金属を表し、
Ｙが−（ＣＨ2）p−を表しかつ“ｐ”が０から６の整数を表し、
Ｚが、−Ｏ−、−ＣＯＯ−、−ＯＣＯ−、−ＣＯＨＮ−または−ＮＨＣＯ−を表し、
−（ＡＯ）nが、線状の反復エチレンオキサイド基、プロピレンオキサイド基、ブチレンオキサイド基またはこれらの混合物を表し、
“ｎ”が反復−（ＡＯ）基の平均数を表して１０から２５０の整数であり、
Ｗが、酸素原子または−ＮＨ−基を表し、そして
Ｒ11が、Ｃ1−Ｃ10アルキル基またはＣ2−Ｃ10ヒドロキシアルキル基を表し、かつ、
ポリマーＩ中の成分Ａ、ＢおよびＣが、２：１：０から５：１：０の範囲内のモル比（Ａ：Ｂ：Ｃ）で存在し、かつ更に
ポリマーＩＩ中の成分Ａ、ＢおよびＣが、０．１：１：０から２：１：０の範囲内のモル比（Ａ：Ｂ：Ｃ）で存在し、かつ更に
ポリマーＩＩＩ中の成分ＢとＣの合計に対する成分Ａのモル比が、０．３：１から３：１（Ａ：Ｂ＋Ｃ）の範囲内である、
組成物。
【請求項２】
ポリマーＩ中の成分Ｂに対する成分Ａのモル比が、２：１から５：１（Ａ：Ｂ）の範囲内、より好適には２．３：１から４．５：１の範囲内、最も好適には２．５：１から４．０：１の範囲内である、請求項１記載の組成物。
【請求項３】
ポリマーＩＩ中の成分Ｂに対する成分Ａのモル比が、０．１：１から２：１（Ａ：Ｂ）の範囲内、より好適には０．６：１から１．７：１の範囲内である、請求項１または２記載の組成物。
【請求項４】
ポリマーＩＩＩ中の成分ＢとＣの合計に対する成分Ａのモル比が、０．３：１から３：１（Ａ：Ｂ＋Ｃ）の範囲内、より好適には０．４：１から２：１の範囲内、最も好適には０．５：１から１：１の範囲内である、請求項１ないし３のいずれか１項記載の組成物。
【請求項５】
ポリマーＩ、ＩＩおよびＩＩＩの重量平均分子量が、１０，０００から３００，０００の範囲、より好適には２０，０００から２００，０００の範囲である、請求項１ないし４のいずれか１項記載の組成物。
【請求項６】
成分Ａが、アクリル酸、メタアクリル酸、マレイン酸、マレイン酸Ｃ1−Ｃ4アルキルモノエステル、マレイン酸モノアミド、マレイン酸Ｎ−（Ｃ1−Ｃ4）アルキルモノアミド、フマル酸、フマル酸Ｃ1−Ｃ4アルキルモノエステル、フマル酸Ｎ−（Ｃ1−Ｃ4）アルキルモノアミド、クロトン酸、イタコン酸またはこれらの混合物を含んで成る、請求項１ないし５のいずれか１項記載の組成物。
【請求項７】
成分Ｂが、ポリ（アルキレングリコール）メチルエーテルアクリレート、ポリ（アルキレングリコール）エチルエーテルアクリレート、ポリ（アルキレングリコール）メチルエーテルメタアクリレート、ポリ（アルキレングリコール）エチルエーテルメタアクリレート、ポリ（アルキレングリコール）メチルエーテルマレエートモノエステル、ポリ（アルキレングリコール）メチルエーテルフマレートモノエステル、Ｎ−ポリ（アルキレングリコール）アクリルアミド、Ｎ−ポリ（アルキレングリコール）メタアクリルアミド、ポリ（アルキレングリコール）ビニルエーテル、ポリ（アルキレングリコール）アリルエーテル、ポリ（アルキレングリコール）メタアリルエーテル、ポリ（アルキレングリコール）イソプレニルエーテル、ポリ（アルキレングリコール）ビニルオキシブチレンエーテルまたはこれらの混合物を含んで成り、かつ更に前記ポリアルキレングリコールの名目上の分子量が４５０から１１，０００の範囲内、より好適には１，０００から８，０００の範囲内である、請求項１ないし６のいずれか１項記載の組成物。
【請求項８】
成分Ｃが（メタ）アクリル酸アルキル、（メタ）アクリル酸ヒドロキシアルキル、（メタ）アクリルアミドまたはこれの誘導体、マレイン酸アルキルジエステル、マレイン酸ヒドロキシアルキルジエステルまたはこれらの混合物を含んで成る、請求項１ないし７のいずれか１項記載の組成物。
【請求項９】
更に減水剤、促進剤、遅延剤、強度強化剤、脱気剤、空気連行剤、収縮軽減用混和剤またはこれらの混合物から成る群より選択される少なくとも１種の通常のコンクリート混和剤も含有して成り、前記減水剤は、好適には、リグノスルホネート、ナフタレンスルホネートホルムアルデヒド縮合物、メラミンスルホネートホルムアルデヒド縮合物、グルコン酸もしくはグルコネート、コーンシロップまたはこれらの混合物から成る群より選択される、請求項１ないし８のいずれか１項記載の組成物。
【請求項１０】
セメント質組成物の改質方法であって、水和性セメント質組成物に本明細書でポリマーＩ、ポリマーＩＩおよびポリマーＩＩＩとして識別する異なる３種類のカルボキシレートポリマーを導入することを含んで成っていて、前記ポリマーの各々が成分Ａ、ＢおよびＣから得たものであり、かつ
成分Ａが、構造式１
【化４】
2018519236.tif 000004
で表される不飽和カルボン酸モノマーであり、
成分Ｂが、構造式２
【化５】
2018519236.tif 000005
で表されるポリオキシアルキレンモノマーであり、
成分Ｃが、構造式３
【化６】
2018519236.tif 000006
で表される不飽和カルボン酸エステルもしくはアミドモノマーであり、
前記式中、
Ｒ1、Ｒ2、Ｒ3、Ｒ4、Ｒ5、Ｒ6、Ｒ7、Ｒ8、Ｒ9およびＲ10が、各々個別に、水素原子、
Ｃ1からＣ4アルキル基または−ＣＯＯＭ基を表しかつＭが水素原子またはアルカリ金属を表し、
Ｙが−（ＣＨ2）p−を表しかつ“ｐ”が０から６の整数を表し、
Ｚが、−Ｏ−、−ＣＯＯ−、−ＯＣＯ−、−ＣＯＨＮ−または−ＮＨＣＯ−を表し、
−（ＡＯ）nが、反復エチレンオキサイド基、プロピレンオキサイド基、ブチレンオキサイド基またはこれらの混合物を表し、
“ｎ”が反復−（ＡＯ）基の平均数を表して１０から２５０の整数であり、
Ｗが、酸素原子または−ＮＨ−基を表し、そして
Ｒ11が、Ｃ1−Ｃ10アルキル基またはＣ2−Ｃ10ヒドロキシアルキル基を表し、かつ、
ポリマーＩ中の成分Ａ、ＢおよびＣが、２：１：０から５：１：０の範囲内のモル比（Ａ：Ｂ：Ｃ）で存在し、かつ更に
ポリマーＩＩ中の成分Ａ、ＢおよびＣが、０．１：１：０から２：１：０の範囲内のモル比（Ａ：Ｂ：Ｃ）で存在し、かつ更に
ポリマーＩＩＩ中の成分ＢとＣの合計に対する成分Ａのモル比が０．３：１から３：１（Ａ：Ｂ＋Ｃ）の範囲内である、
方法。
【請求項１１】
ポリマーＩ、ＩＩおよびＩＩＩをコンクリートバッチミックスプラントでか、現場でか、プラントと現場の間を輸送している間のレディーミックストラックでか或はこれらを組み合わせた場所でセメント質組成物に同時に導入する、請求項１０記載の方法。
【請求項１２】
ポリマーＩ、ＩＩおよびＩＩＩの中の１つ以上をコンクリートバッチミックスプラントの場所でセメント質組成物に導入し、そして、ポリマーＩ、ＩＩおよびＩＩＩの中の１つ以上をレディーミックストラックで輸送中のセメント質組成物に導入する、請求項１０または１１記載の方法。
【請求項１３】
セメント質結合剤および請求項１ないし９のいずれか１項記載の組成物を含有して成る、セメント質組成物。
【請求項１４】
ポリマーＩ、ＩＩおよびＩＩＩの各々の有効重量パーセントが組成物内の前記３種類のポリマーの総量を基準にして下記の通り：
ポリマーＩが、３０−８０％の範囲、より好適には３５−７５％の範囲、最も好適には４０−７０％の範囲内で存在し、
ポリマーＩＩが、５−４０％の範囲、より好適には１０−３５％の範囲、最も好適には１０−３０％の範囲内で存在し、そして
ポリマーＩＩＩが５−５０％の範囲、より好適には１０−４５％の範囲、最も好適には１５−４０％の範囲内で存在し、ここで、
示したパーセント全部が組成物内に存在する前記ポリマーの総重量が基準になっている、請求項１ないし９のいずれか１項記載の組成物。
【請求項１５】
ポリマーＩ、ＩＩおよびＩＩＩの各々の有効重量パーセントが前記組成物内の前記３種類のポリマーの総量を基準にして下記の通りであり：
ポリマーＩが、３０−８０％の範囲、より好適には３５−７５％の範囲、最も好適には４０−７０％の範囲内で存在し、
ポリマーＩＩが、５−４０％の範囲、より好適には１０−３５％の範囲、最も好適には１０−３０％の範囲内で存在し、そして
ポリマーＩＩＩが、５−５０％の範囲、より好適には１０−４５％の範囲、最も好適には１５−４０％の範囲内で存在し、ここで、
示したパーセント全部が前記組成物内に存在する前記ポリマーの総重量が基準になっている、
請求項１０ないし１２のいずれか１項記載の方法。